【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
無線通信システムにおいてブロードキャストおよびマルチキャストサービス（ＢＣＭＣＳ）を提供する信号を伝送する方法であって、前記方法は、
所定のクロック速度でフレーム毎の所定の個数のＢＣＭＣＳシンボルを調整することであって、前記所定の個数のＢＣＭＣＳシンボルは、それぞれ、予想される多重経路遅延拡散以上の第２の所定の長さを有する循環プレフィックスに先行される所定の個数のＢＣＭＣＳデータチップを含み、前記フレーム毎のＢＣＭＣＳシンボルの所定の数は、空間時間ブロックコーディング（ＳＴＢＣ）をサポートするために、２、４、６または８である、ことと、
フレーム毎の時間領域において、２つの連続したＢＣＭＣＳシンボルに対して前記ＢＣＭＣＳデータチップのＳＴＢＣを実行することと、
開ループ多重入力多重出力（ＭＩＭＯ）技術を用いて前記ＢＣＭＣＳシンボルを伝送することと
を含み、前記所定のクロック速度は、４．９１５２ＭＨｚであり、前記フレーム毎のＢＣＭＣＳシンボルの個数は、２であり、シンボル毎のＢＣＭＣＳデータチップの所定の数は２２４０であり、
Ｎ＿ＦＦＴの大きさ、副搬送波間隔、循環プレフィックスとウィンドウとを加算した数、および循環プレフィックスのチップの個数は、
（１）Ｎ＿ＦＦＴの大きさ：１７９２、副搬送波間隔：２．７４２９ｋＨｚ、循環プレフィックスとウィンドウとを加算した数：４４８、循環プレフィックスのチップの個数：４３２、
（２）Ｎ＿ＦＦＴの大きさ：１９２０、副搬送波間隔：２．５６ｋＨｚ、循環プレフィックスとウィンドウとを加算した数：３２０、循環プレフィックスのチップの個数：３０４、
（３）Ｎ＿ＦＦＴの大きさ：２０４８、副搬送波間隔：２．４ｋＨｚ、循環プレフィックスとウィンドウとを加算した数：１９２、循環プレフィックスのチップの個数：１７６
のうちの１つに従って構成される、方法。
【請求項２】
前記システムは、‘ｘ’ＭＨｚのクロック速度、シンボル毎のＢＣＭＣＳデータチップの所定の数、Ｎ＿ＦＦＴの大きさ、循環プレフィックスとウィンドウとを合わせたチップの数、およびｘ／４．９１５２の因数を有する循環プレフィックススケールのチップの個数を有する、請求項１に記載の方法。
【請求項３】
無線通信システムにおいてブロードキャストおよびマルチキャストサービス（ＢＣＭＣＳ）を提供する信号を伝送する方法であって、前記方法は、
所定のクロック速度でフレーム毎の所定の個数のＢＣＭＣＳシンボルを調整することであって、前記所定の個数のＢＣＭＣＳシンボルは、それぞれ、予想される多重経路遅延拡散以上の第２の所定の長さを有する循環プレフィックスに先行される所定の数のＢＣＭＣＳデータチップを含み、前記フレーム毎のＢＣＭＣＳシンボルの所定の数は、空間時間ブロックコーディング（ＳＴＢＣ）をサポートするために、２、４、６または８である、ことと、
フレーム毎の時間領域において、２つの連続したＢＣＭＣＳシンボルに対して前記ＢＣＭＣＳデータチップのＳＴＢＣを実行することと、
開ループ多重入力多重出力（ＭＩＭＯ）技術を用いて前記ＢＣＭＣＳシンボルを伝送することと
を含み、前記所定のクロック速度は、４．９１５２ＭＨｚであり、前記フレーム毎のＢＣＭＣＳシンボルの数は、４であり、シンボル毎のＢＣＭＣＳデータチップの所定の数は１１２０であり、
Ｎ＿ＦＦＴの大きさ、副搬送波間隔、循環プレフィックスとウィンドウとを加算した数、および循環プレフィックスのチップの数は、
（１）Ｎ＿ＦＦＴの大きさ：６４０、副搬送波間隔：７．６８ｋＨｚ、循環プレフィックスとウィンドウとを加算した数：４８０、循環プレフィックスのチップの数：４６４、
（２）Ｎ＿ＦＦＴの大きさ：７６８、副搬送波間隔：６．４ｋＨｚ、循環プレフィックスとウィンドウとを加算した数：３５２、循環プレフィックスのチップの数：３３６、
（３）Ｎ＿ＦＦＴの大きさ：８９６、副搬送波間隔：５．４８５７ｋＨｚ、循環プレフィックスとウィンドウとを加算した数：２２４、循環プレフィックスのチップの数：２０８、
（４）Ｎ＿ＦＦＴの大きさ：１０２４、副搬送波間隔：４．８ｋＨｚ、循環プレフィックスとウィンドウとを加算した数：９６、循環プレフィックスのチップの数：８０
のうちの１つに従って構成される、方法。
【請求項４】
前記システムは、‘ｘ’ＭＨｚのクロック速度、シンボル毎のＢＣＭＣＳデータチップの所定の数、Ｎ＿ＦＦＴの大きさ、循環プレフィックスとウィンドウとを合わせたチップの数、およびｘ／４．９１５２の因数を有する循環プレフィックススケールのチップの数を有する、請求項３に記載の方法。
【請求項５】
無線通信システムにおいてブロードキャストおよびマルチキャストサービス（ＢＣＭＣＳ）を提供する信号を伝送する方法であって、前記方法は、
所定のクロック速度でフレーム毎の所定の個数のＢＣＭＣＳシンボルを調整することであって、前記所定の個数のＢＣＭＣＳシンボルは、それぞれ、予想される多重経路遅延拡散以上の第２の所定の長さを有する循環プレフィックスに先行される所定の数のＢＣＭＣＳデータチップを含み、前記フレーム毎のＢＣＭＣＳシンボルの所定の数は、空間時間ブロックコーディング（ＳＴＢＣ）をサポートするために、２、４、６または８である、ことと、
フレーム毎の時間領域において、２つの連続したＢＣＭＣＳシンボルに対して前記ＢＣＭＣＳデータチップのＳＴＢＣを実行することと、
開ループ多重入力多重出力（ＭＩＭＯ）技術を用いて前記ＢＣＭＣＳシンボルを伝送することと
を含み、前記所定のクロック速度は、４．９１５２ＭＨｚであり、前記フレーム毎のＢＣＭＣＳシンボルの数は、６であり、シンボル毎のＢＣＭＣＳデータチップの所定の数は７４６．６６７であり、
Ｎ＿ＦＦＴの大きさ、副搬送波間隔、循環プレフィックスとウィンドウとを加算した数、および循環プレフィックスのチップの数は、
（１）Ｎ＿ＦＦＴの大きさ：３８４、副搬送波間隔：１２．８ｋＨｚ、循環プレフィックスとウィンドウとを加算した数：３６２．７、循環プレフィックスのチップの数：３４６．７、
（２）Ｎ＿ＦＦＴの大きさ：４００、副搬送波間隔：１２．２８８ｋＨｚ、循環プレフィックスとウィンドウとを加算した数：３４６．７、循環プレフィックスのチップの数：３３０．７、
（３）Ｎ＿ＦＦＴの大きさ：４８０、副搬送波間隔：１０．２４ｋＨｚ、循環プレフィックスとウィンドウとを加算した数：２６６．７、循環プレフィックスのチップの数：２５０．７、
（４）Ｎ＿ＦＦＴの大きさ：５１２、副搬送波間隔：９．６ｋＨｚ、循環プレフィックスとウィンドウとを加算した数：２３４．７、循環プレフィックスのチップの数：２１８．７、
（５）Ｎ＿ＦＦＴの大きさ：７９６、副搬送波間隔：８．５３３３ｋＨｚ、循環プレフィックスとウィンドウとを加算した数：１７０．７、循環プレフィックスのチップの数：１５４．７、
（６）Ｎ＿ＦＦＴの大きさ：６４０、副搬送波間隔：７．６８ｋＨｚ、循環プレフィックスとウィンドウとを加算した数：１０６．７、循環プレフィックスのチップの数：９０．６７
のうちの１つに従って構成される、方法。
【請求項６】
前記システムは、‘ｘ’ＭＨｚのクロック速度、シンボル毎のＢＣＭＣＳデータチップの所定の数、Ｎ＿ＦＦＴの大きさ、循環プレフィックスとウィンドウとを合わせたチップの数、およびｘ／４．９１５２の因数を有する循環プレフィックススケールのチップの数を有する、請求項５に記載の方法。
【請求項７】
無線通信システムにおいてブロードキャストおよびマルチキャストサービス（ＢＣＭＣＳ）を提供する信号を伝送する方法であって、前記方法は、
所定のクロック速度でフレーム毎の所定の個数のＢＣＭＣＳシンボルを調整することであって、前記所定の個数のＢＣＭＣＳシンボルは、それぞれ、予想される多重経路遅延拡散以上の第２の所定の長さを有する循環プレフィックスに先行される所定の数のＢＣＭＣＳデータチップを含み、前記フレーム毎のＢＣＭＣＳシンボルの所定の数は、空間時間ブロックコーディング（ＳＴＢＣ）をサポートするために、２、４、６または８である、ことと、
フレーム毎の時間領域において、２つの連続したＢＣＭＣＳシンボルに対して前記ＢＣＭＣＳデータチップのＳＴＢＣを実行することと、
開ループ多重入力多重出力（ＭＩＭＯ）技術を用いて前記ＢＣＭＣＳシンボルを伝送することと
を含み、前記所定のクロック速度は、４．９１５２ＭＨｚであり、前記フレーム毎のＢＣＭＣＳシンボルの数は、８であり、シンボル毎のＢＣＭＣＳデータチップの所定の数は５６０であり、
Ｎ＿ＦＦＴの大きさ、副搬送波間隔、循環プレフィックスとウィンドウとを加算した数、および循環プレフィックスのチップの数は、
（１）Ｎ＿ＦＦＴの大きさ：３２０、副搬送波間隔：１５．３６ｋＨｚ、循環プレフィックスとウィンドウとを加算した数：２４０、循環プレフィックスのチップの数：２２４、
（２）Ｎ＿ＦＦＴの大きさ：３８４、副搬送波間隔：１２．８ｋＨｚ、循環プレフィックスとウィンドウとを加算した数：１７６、循環プレフィックスのチップの数：１６０、
（３）Ｎ＿ＦＦＴの大きさ：５１２、副搬送波間隔：９．６ｋＨｚ、循環プレフィックスとウィンドウとを加算した数：４８、循環プレフィックスのチップの数：３２
のうちの１つに従って構成される、方法。
【請求項８】
前記システムは、‘ｘ’ＭＨｚのクロック速度、シンボル毎のＢＣＭＣＳデータチップの所定の数、Ｎ＿ＦＦＴの大きさ、循環プレフィックスとウィンドウとを合わせたチップの数、およびｘ／４．９１５２の因数を有する循環プレフィックススケールのチップの数を有する、請求項７に記載の方法。
【手続補正２】
【補正対象書類名】明細書
【補正対象項目名】００１８
【補正方法】変更
【補正の内容】
【００１８】
当業者であれば、本発明の添付された図面を参照して各実施例の詳細な説明から容易に各種の実施例を理解可能であり、本発明は、開示された特定の実施例によって制限されるものではない。
例えば、本発明は以下の項目を提供する。
（項目１）
無線通信システムで一つ以上のブロードキャスト及びマルチキャストサービス（ＢＣＭＣＳ）と一つ以上のユニキャストサービスを提供する方法において、
それぞれ第１の所定長さを有する循環前置（Ｃｙｃｌｉｃ  Ｐｒｅｆｉｘ：ＣＰ）が先行するユニキャストデータチップを含む所定個数のユニキャストシンボルを所定のクロック速度でフレーム別に提供する段階；及び
それぞれ予想多重経路遅延拡散以上の第２の所定長さを有する循環前置が先行する所定個数のＢＣＭＣＳデータチップを含む所定個数のＢＣＭＣＳシンボルを所定のクロック速度でフレーム別に提供する段階を含み、
フレーム別に提供されたユニキャストチップ個数は、フレーム別に提供されたＢＣＭＣＳチップの個数の同一であり、フレーム別のＢＣＭＣＳシンボルの個数は偶数であり、上記ＢＣＭＣＳシンボル当たりのデータチップの所定個数は、２、３、５または７の因数である、一つ以上のブロードキャスト及びマルチキャストサービス（ＢＣＭＣＳ）と一つ以上のユニキャストサービスを提供する方法。
（項目２）
フレーム別のユニキャストシンボルの所定個数は８であり、上記所定のクロック速度は４．９１５２ＭＨｚであり、フレーム別に提供されたユニキャストチップの個数は４４８０である、項目１に記載の一つ以上のブロードキャスト及びマルチキャストサービス（ＢＣＭＣＳ）と一つ以上のユニキャストサービスを提供する方法。
（項目３）
フレーム別のＢＣＭＣＳシンボルの所定個数は２、４、６または８である、項目２に記載の一つ以上のブロードキャスト及びマルチキャストサービス（ＢＣＭＣＳ）と一つ以上のユニキャストサービスを提供する方法。
（項目４）
上記フレーム別のＢＣＭＣＳシンボルの個数及びシンボル当たりのＢＣＭＣＳチップの所定個数は次の表による、項目３に記載の一つ以上のブロードキャスト及びマルチキャストサービス（ＢＣＭＣＳ）と一つ以上のユニキャストサービスを提供する方法：
【数１】
2010504657.tif 000001
（項目５）
上記システムは、‘ｘ’ＭＨｚのクロック速度とＯＦＤＭシンボル当たりのチップの個数、Ｎ＿ＦＦＴ大きさ、ＣＰとウィンドウを合わせたチップの個数及びｘ／４．９１５２の因数を有するＣＰスケールチップ個数を有する、項目４に記載の一つ以上のブロードキャスト及びマルチキャストサービス（ＢＣＭＣＳ）と一つ以上のユニキャストサービスを提供する方法。
（項目６）
無線通信システムで一つ以上のブロードキャスト及びマルチキャストサービス（ＢＣＭＣＳ）と一つ以上のユニキャストサービスを提供する方法において、
それぞれ第１の所定長さを有する循環前置（Ｃｙｃｌｉｃ  Ｐｒｅｆｉｘ：ＣＰ）が先行するユニキャストデータを含む所定個数のユニキャストシンボルを所定のクロック速度でフレーム別に提供する段階；及び
それぞれ第２の所定長さを有する循環前置が先行する所定個数のＢＣＭＣＳデータチップを含む所定個数のＢＣＭＣＳシンボルを所定のクロック速度でフレーム別に提供する段階を含み、
フレーム別に提供されたユニキャストシンボルの所定個数は、フレーム別に提供された所定のＢＣＭＣＳ個数と同一であり、フレーム別に提供されたユニキャストシンボルの所定長さは、フレーム別に提供されたＢＣＭＣＳシンボルの所定長さと同一であり、上記第１の所定長さは、上記第２の所定長さと同一である、一つ以上のブロードキャスト及びマルチキャストサービス（ＢＣＭＣＳ）と一つ以上のユニキャストサービスを提供する方法。
（項目７）
フレーム別のユニキャストシンボルの所定個数は８であり、上記所定のクロック速度は４．９１５２ＭＨｚである、項目６に記載の一つ以上のブロードキャスト及びマルチキャストサービス（ＢＣＭＣＳ）と一つ以上のユニキャストサービスを提供する方法。
（項目８）
ユニキャストトーンとＢＣＭＣＳトーンとの間に如何なる保護トーンも提供しない、項目６に記載の一つ以上のブロードキャスト及びマルチキャストサービス（ＢＣＭＣＳ）と一つ以上のユニキャストサービスを提供する方法。
（項目９）
無線通信システムで一つ以上のブロードキャスト及びマルチキャストサービス（ＢＣＭＣＳ）と一つ以上のユニキャストサービスを提供する方法において、
第１のシンボル設計を用いて一つ以上のユニキャストサービスを提供する段階；及び
第２のシンボル設計を用いて第１の電力レベルで伝送された多数のサブパケットの最終パケットを除いた多数のサブパケットと、上記第１のシンボル設計を用いて第２の電力レベルで伝送された多数のサブパケットの最終パケットとして所定のクロック速度で一つ以上のＢＣＭＣＳを提供する段階を含み、
上記第１のシンボル設計は、所定のクロック速度でフレーム別の第１の所定個数のシンボルを含み、上記第１の所定個数のシンボルは、それぞれ第１の所定長さを有する循環前置が先行するユニキャストデータを含み、
上記第２のシンボル設計は、フレーム別の第２の所定個数のＢＣＭＣＳシンボルを含み、上記第２の所定個数のＢＣＭＣＳは、それぞれ第２の所定長さを有する循環前置が先行するＢＣＭＣＳデータを含み、
上記第２の電力レベルは上記第１の電力レベル以上であり、上記フレーム別の第２の所定個数のＢＣＭＣＳシンボルは上記第１の所定個数以下であり、第２の所定長さは第１の所定長さ以上である、一つ以上のブロードキャスト及びマルチキャストサービス（ＢＣＭＣＳ）と一つ以上のユニキャストサービスを提供する方法。
（項目１０）
フレーム別のユニキャストシンボルの第２の所定個数は８であり、上記所定のクロック速度は４．９１５２ＭＨｚである、項目９に記載の一つ以上のブロードキャスト及びマルチキャストサービス（ＢＣＭＣＳ）と一つ以上のユニキャストサービスを提供する方法。
（項目１１）
上記多数のＢＣＭＣＳサブパケットのうち最終サブパケットに対しては、ユニキャストトーンとＢＣＭＣＳトーンとの間に如何なる保護トーンも提供しない、項目９に記載の一つ以上のブロードキャスト及びマルチキャストサービス（ＢＣＭＣＳ）と一つ以上のユニキャストサービスを提供する方法。
（項目１２）
無線通信システムで多数のブロードキャスト及びマルチキャストサービス（ＢＣＭＣＳ）を提供する方法において、
第１の多数のサブパケットを含む第１の多数のＢＣＭＣＳを第１の多数の送信機から第１の区域に提供する段階；及び
第２の多数のサブパケットを含む第２の多数のＢＣＭＣＳを第２の多数の送信機から一つ以上の第２の区域に提供する段階を含み、
上記第１の多数の送信機のうち一つ以上の送信機は、接近によって一つ以上の第２の区域に第１の多数のサブパケットを複数回伝送し、上記第２の多数の送信機のうち一つ以上の送信機は、接近度によって第１の区域に第２の多数のサブパケットを複数回伝送する、多数のブロードキャスト及びマルチキャストサービス（ＢＣＭＣＳ）を提供する方法。
（項目１３）
上記第１の多数の送信機のうち一つ以上の送信機は、第１の多数のサブパケットを各連続伝送の間に遅延を有して複数回伝送し、上記第２の多数の送信機のうち一つ以上の送信機は、第２の多数のサブパケットを各連続伝送の間に遅延を有して複数回伝送する、項目１２に記載の多数のブロードキャスト及びマルチキャストサービス（ＢＣＭＣＳ）を提供する方法。
（項目１４）
上記第１の多数の送信機のうち一つ以上の送信機は、第１の多数のサブパケットを現在複数回伝送し、上記第２の多数の送信機のうち一つ以上の送信機は、第２の多数のサブパケットを現在複数回伝送する、項目１２に記載の多数のブロードキャスト及びマルチキャストサービス（ＢＣＭＣＳ）を提供する方法。
（項目１５）
上記第１の多数の送信機のうち一つ以上の送信機は、第１の多数のサブパケットを第１の周波数帯域で伝送し、上記第２の多数の送信機のうち一つ以上の送信機は、第２の多数のサブパケットを第２の周波数帯域で伝送し、上記第１の周波数帯域は上記第２の周波数帯域と互いに分離されている、項目１２に記載の多数のブロードキャスト及びマルチキャストサービス（ＢＣＭＣＳ）を提供する方法。
（項目１６）
上記第１の多数の送信機は、上記第１の区域のエッジ領域に位置し、上記第２の多数の送信機のうち一つ以上の送信機は、第２の区域のエッジ領域に位置する、項目１５に記載の多数のブロードキャスト及びマルチキャストサービス（ＢＣＭＣＳ）を提供する方法。